(57)【要約】【課題】クリーニング部材、極性制御部材、及びトナー散らし部材との摺擦による感光体１０の劣化を解消するとともに、転写チリの発生を解消する。【解決手段】感光体１０と現像装置１２とが対向する現像位置にて、感光体１０の表面に密着させたラップフィルムＦ上にトナーを付着させる現像が可能になるように、感光体１０表面の全領域のうち、潜像を担持した後、現像位置に進入する前の領域である現像前領域に対して、帯電ローラ８や転写装置１３等によってラップフィルムＦを密着させ、現像位置を通過したラップフィルムＦに記録シートＳを密着させた状態でトナー像の転写を行うように転写装置１３を構成し、転写ニップを通過した記録シートＳをラップフィルムＦに密着させたままの状態で定着装置に搬送する搬送手段と、定着装置を通過した後の記録シートＳをラップフィルムＦから分離する分離手段とを設けた。【選択図】図４
2010286538.tif 000002
【特許請求の範囲】
【請求項１】
移動する表面に潜像を担持する潜像担持体と、前記潜像をトナーによって現像する現像手段と、現像によって前記潜像担持体上に形成されたトナー像を記録部材に転写する転写手段と、記録部材にトナー像を定着せしめる定着手段とを備える画像形成装置において、
前記潜像担持体と前記現像手段とが対向する現像位置にて、前記潜像担持体の表面に密着させたフィルム部材上にトナーを付着させる現像が可能になるように、前記潜像担持体の表面の全領域のうち、前記現像手段に対向する現像位置に進入する前の領域である現像前領域に対してフィルム部材を密着させるフィルム密着手段を設け、
前記現像位置を通過したフィルム部材に記録部材を密着させた状態でトナー像の転写を行うように前記転写手段を構成し、
且つ、前記転写手段を通過した記録部材をフィルム部材に密着させたままの状態で前記定着手段に搬送する搬送手段と、
前記定着手段を通過した後の記録部材をフィルム部材から分離する分離手段とを設けたことを特徴とする画像形成装置。
【請求項２】
請求項１の画像形成装置において、
前記潜像担持体の表面の全領域のうち、潜像を担持した後、前記現像位置に進入する前の領域に対してフィルム部材を密着させるように前記フィルム密着手段を構成し、
前記定着手段として、記録部材を加熱しながらトナー像を記録部材に定着せしめるものを用い、
且つ、前記フィルム部材として、加熱によって記録部材との離型性を高める表面層を具備するものを用いたことを特徴とする画像形成装置。
【請求項３】
請求項１又は２の画像形成装置において、
前記現像位置に進入する前のフィルム部材の表面に離型促進剤を塗布する塗布手段を設けたことを特徴とする画像形成装置。
【請求項４】
請求項１乃至３の何れかの画像形成装置において、
前記分離手段として、フィルム部材を巻き掛け部材に巻き掛けてフィルム部材の進行方向を急激に変化させることで、フィルム部材に密着している記録部材をフィルム部材から曲率分離するものを用いたことを特徴とする画像形成装置。
【請求項５】
請求項１乃至４の何れかの画像形成装置において、
巻き付け部材に巻き付いているフィルム部材を巻き付け部材から引き出す引き出し手段と、前記巻き付け部材から引き出されて前記転写手段と前記定着手段と前記分離手段とを順次経由した後のフィルム部材を巻き取り部材に巻き取る巻き取り手段とを設けたことを特徴とする画像形成装置。
【請求項６】
請求項５の画像形成装置において、
前記巻き付け部材及び巻き取り部材を共通のカートリッジに収容して画像形成装置本体に対して一体的に着脱可能に構成したことを特徴とする画像形成装置。
【請求項７】
請求項６の画像形成装置において、
フィルム部材における、前記巻き付け部材と前記巻き取り部材との間の展張箇所のテンションを大きく緩めるテンション調整手段を設けたことを特徴とする画像形成装置。
【請求項８】
請求項６又は７の画像形成装置において、
カートリッジの取り付け姿勢を１８０［°］反転させて、前記巻き付け部材と前記巻き取り部材との位置を逆転させることが可能になるように、前記カートリッジの形状及び画像形成装置本体のカートリッジ取付部を構成したことを特徴とする画像形成装置。
【請求項９】
請求項５の画像形成装置において、
前記巻き取り部材に巻き取られたフィルム部材を前記巻き取り部材から引き出しながら前記巻き付け部材に巻き付け直す巻き直し手段を設けたことを特徴とする画像形成装置。
【請求項１０】
潜像担持体の移動する表面に潜像を担持させる潜像担持工程と、前記潜像をトナーによって現像する現像工程と、現像によって前記潜像担持体上に形成されたトナー像を記録部材に転写する転写工程と、記録部材にトナー像を定着せしめる定着工程とを実施して画像を形成する画像形成方法において、
前記現像工程にて、前記潜像担持体の表面に密着させたフィルム部材上にトナーを付着させる現像が可能になるように、前記潜像担持体の表面の全領域のうち、前記現像工程に進入する前の領域である現像前領域に対してフィルム部材を密着させるフィルム密着工程を設け、
前記現像工程を通過したフィルム部材に記録部材を密着させた状態でトナー像の転写を行うように前記転写工程を構成し、
且つ、前記転写工程を通過した記録部材をフィルム部材に密着させたままの状態で前記定着工程に搬送する搬送工程と、
前記定着工程を通過した後の記録部材をフィルム部材から分離する分離工程とを設けたことを特徴とする画像形成方法。
【発明の詳細な説明】
【技術分野】
【０００１】
本発明は、電子写真方式によって画像を形成する複写機、ファクシミリ、プリンタ等の画像形成装置や、画像形成装置に用いられる画像形成方法に関するものである。
【背景技術】
【０００２】
従来から、電子写真方式を用いた画像形成装置が広く知られている。電子写真方式の中でも、カールソンプロセスと呼ばれるものは、一般的に広く普及している方式であり、潜像担持体としての感光体に対し、帯電、露光、現像、転写、クリーニング、初期化の工程を順次施していく。具体的には、感光体の表面を一様に帯電させた後、帯電後の感光体表面のうち、画像部に対して光走査による選択的な露光処理を施す。そして、この露光による電位の減衰で得られた静電潜像に対し、現像装置によってトナーを付着させてトナー像を得た後、それを用紙等の記録部材に転写する。転写工程を経た後の感光体表面には、記録部材に転写されなかった転写残トナーが付着している。この転写残トナーをクリーニングブレード等によって感光体表面から除去した後、感光体を除電によって初期化する。
【０００３】
このようなカールソンプロセスでは、感光体表面に対してクリーニングブレード等のクリーニング部材を摺擦させることで、感光体の劣化を早めてしまうという不具合が発生する。
【０００４】
一方、近年、例えば特許文献１に記載の画像形成装置のように、クリーニング工程を省略したいわゆるクリーナーレス方式を実施する画像形成装置が提案されている。この種の画像形成装置では、転写工程を経た後の感光体表面をクリーニングせずに帯電、露光、現像の工程に順次進めていく。そして、現像工程にて、感光体表面上の転写残トナーを現像装置内に回収する。かかる構成では、クリーニング部材の設置が不要になる他、転写残トナーを現像に再利用することが可能になるというメリットがある。
【発明の概要】
【発明が解決しようとする課題】
【０００５】
しかしながら、クリーニング部材の代わりに、極性制御部材やトナー散らし部材などを感光体表面に摺擦させる必要があるため、部材との摺擦による感光体の劣化を解消するという観点からすると、十分な効果を得ることができなかった。具体的には、感光体表面に付着している転写残トナー粒子の大半は、正規帯電極性とは逆極性に帯電してしまった逆帯電トナー粒子であり、そのままでは、現像装置と感光体とが対向する現像位置において感光体表面の地肌部に静電移動してしまうため、現像装置内に回収することができない。このため、正規極性のバイアスを印加した極性制御部材を潜像担持体表面に当接させ、その当接部で転写残トナーに正規極性の電荷を付与することが一般的に行われる。また、ベタ画像を転写した後の転写残トナー付着箇所など、転写残トナーを多量に付着させた箇所では、帯電や露光が不十分になり易いので、ブラシ部材など転写残トナーを散らすためのトナー散らし部材を潜像担持体に当接させることもある。それら極性制御部材やトナー散らし部材を摺擦させてしまうので、部材との摺擦による潜像担持体の表面の劣化を解消することができないのである。
【０００６】
そこで、本発明者らは、現像位置に進入する前の感光体表面に樹脂フィルムを密着させ、現像位置で樹脂フィルム上にトナーを付着させて現像を行う新規な画像形成装置を開発中である。この画像形成装置によれば、感光体表面に密着させた樹脂フィルム上で現像工程や転写工程を実施することで、感光体の無垢の表面に転写残トナーを付着させることがない。よって、クリーニング部材、極性制御部材、及びトナー散らし部材を何れも不要にして、それら部材との摺擦による感光体の劣化を解消することができる。
【０００７】
ところが、転写工程を経た後の記録部材を樹脂フィルムから分離する際に、記録部材の画像部からその周囲にトナーを散らせる転写チリを引き起こすことがあった。
【０００８】
本発明は、以上の背景に鑑みてなされたものであり、その目的とするところは、次のような画像形成装置や画像形成方法を提供することである。即ち、クリーニング部材、極性制御部材、及びトナー散らし部材との摺擦による潜像担持体の劣化を解消するとともに、転写チリの発生を解消することができる画像形成装置等である。
【課題を解決するための手段】
【０００９】
上記目的を達成するために、請求項１の発明は、移動する表面に潜像を担持する潜像担持体と、前記潜像をトナーによって現像する現像手段と、現像によって前記潜像担持体上に形成されたトナー像を記録部材に転写する転写手段と、記録部材にトナー像を定着せしめる定着手段とを備える画像形成装置において、前記潜像担持体と前記現像手段とが対向する現像位置にて、前記潜像担持体の表面に密着させたフィルム部材上にトナーを付着させる現像が可能になるように、前記潜像担持体の表面の全領域のうち、前記現像手段に対向する現像位置に進入する前の領域である現像前領域に対してフィルム部材を密着させるフィルム密着手段を設け、前記現像位置を通過したフィルム部材に記録部材を密着させた状態でトナー像の転写を行うように前記転写手段を構成し、且つ、前記転写手段を通過した記録部材をフィルム部材に密着させたままの状態で前記定着手段に搬送する搬送手段と、前記定着手段を通過した後の記録部材をフィルム部材から分離する分離手段とを設けたことを特徴とするものである。
また、請求項２の発明は、請求項１の画像形成装置において、前記潜像担持体の表面の全領域のうち、潜像を担持した後、前記現像位置に進入する前の領域に対してフィルム部材を密着させるように前記フィルム密着手段を構成し、前記定着手段として、記録部材を加熱しながらトナー像を記録部材に定着せしめるものを用い、且つ、前記フィルム部材として、加熱によって記録部材との離型性を高める表面層を具備するものを用いたことを特徴とするものである。
また、請求項３の発明は、請求項１又は２の画像形成装置において、前記現像位置に進入する前のフィルム部材の表面に離型促進剤を塗布する塗布手段を設けたことを特徴とするものである。
また、請求項４の発明は、請求項１乃至３の何れかの画像形成装置において、前記分離手段として、フィルム部材を巻き掛け部材に巻き掛けてフィルム部材の進行方向を急激に変化させることで、フィルム部材に密着している記録部材をフィルム部材から曲率分離するものを用いたことを特徴とするものである。
また、請求項５の発明は、請求項１乃至４の何れかの画像形成装置において、巻き付け部材に巻き付いているフィルム部材を巻き付け部材から引き出す引き出し手段と、前記巻き付け部材から引き出されて前記転写手段と前記定着手段と前記分離手段とを順次経由した後のフィルム部材を巻き取り部材に巻き取る巻き取り手段とを設けたことを特徴とするものである。
また、請求項６の発明は、請求項５の画像形成装置において、前記巻き付け部材及び巻き取り部材を共通のカートリッジに収容して画像形成装置本体に対して一体的に着脱可能に構成したことを特徴とするものである。
また、請求項７の発明は、請求項６の画像形成装置において、フィルム部材における、前記巻き付け部材と前記巻き取り部材との間の展張箇所のテンションを大きく緩めるテンション調整手段を設けたことを特徴とするものである。
また、請求項８の発明は、請求項６又は７の画像形成装置において、カートリッジの取り付け姿勢を１８０［°］反転させて、前記巻き付け部材と前記巻き取り部材との位置を逆転させることが可能になるように、前記カートリッジの形状及び画像形成装置本体のカートリッジ取付部を構成したことを特徴とするものである。
また、請求項９の発明は、請求項５の画像形成装置において、前記巻き取り部材に巻き取られたフィルム部材を前記巻き取り部材から引き出しながら前記巻き付け部材に巻き付け直す巻き直し手段を設けたことを特徴とするものである。
また、請求項１０の発明は、潜像担持体の移動する表面に潜像を担持させる潜像担持工程と、前記潜像をトナーによって現像する現像工程と、現像によって前記潜像担持体上に形成されたトナー像を記録部材に転写する転写工程と、記録部材にトナー像を定着せしめる定着工程とを実施して画像を形成する画像形成方法において、前記現像工程にて、前記潜像担持体の表面に密着させたフィルム部材上にトナーを付着させる現像が可能になるように、前記潜像担持体の表面の全領域のうち、前記現像工程に進入する前の領域である現像前領域に対してフィルム部材を密着させるフィルム密着工程を設け、前記現像工程を通過したフィルム部材に記録部材を密着させた状態でトナー像の転写を行うように前記転写工程を構成し、且つ、前記転写工程を通過した記録部材をフィルム部材に密着させたままの状態で前記定着工程に搬送する搬送工程と、前記定着工程を通過した後の記録部材をフィルム部材から分離する分離工程とを設けたことを特徴とするものである。
【発明の効果】
【００１０】
これらの発明においては、潜像担持体表面に密着させたフィルム部材上でトナー像の現像や転写を実施することで、潜像担持体の無垢の表面に転写残トナーを付着させることがなくなるので、クリーニング部材、極性制御部材、及びトナー散らし部材を何れも不要にして、それら部材との摺擦による潜像担持体の劣化を解消することができる。
また、転写手段（転写工程）を通過した後の記録部材をフィルム部材から引き剥がさずに、フィルム部材に密着させたままの状態で定着手段（定着工程）に送る。これにより、転写チリのない状態でトナー像を記録部材に定着させた後、フィルム部材を記録部材から分離する。この分離の際、トナー像中のトナーは記録部材に定着しているので、像の周囲に飛び散ることがない。よって、転写チリの発生を解消することができる。
なお、本発明のように、フィルム部材を記録部材に密着させたままの状態で記録部材に対してトナー像の定着処理を施した場合、定着処理時にフィルム部材にトナー像を固着させたり、フィルム部材を記録部材に固着させたりするおそれがでてくるが、請求項２に係る発明や、請求項３に係る発明のように、フィルム部材の表面の離型性を向上させる対策を講ずることで、フィルム部材に対してトナー像を固着させたり、フィルム部材を記録部材に固着させたりすることなく、トナー像を記録部材に定着させることが可能である。
【図面の簡単な説明】
【００１１】
【図１】実施形態に係る複写機を示す概略構成図。
【図２】同複写機の複写機本体部における画像形成部を示す拡大構成図。
【図３】同画像形成部とフィルム供給装置とを示す拡大構成図。
【図４】ラップフィルムとこれに密着せしめられた記録シートＳとを示す拡大断面図。
【図５】帯電ローラ、現像装置、転写装置をそれぞれラップフィルムから離間させた状態の画像形成部を示す構成図。
【図６】加熱ローラ３０をラップフィルムから大きく引き離した状態の画像形成部を示す構成図。
【図７】フィルムカートリッジの交換作業を説明する説明図。
【図８】新たにセットしたフィルムカートリッジのラップフィルムの掛け回し作業を説明する説明図。
【図９】ラップフィルムのテンション張架作業を説明する説明図。
【図１０】第３変形例に係る複写機における分離板を定着装置とともに示す拡大構成図。
【発明を実施するための形態】
【００１２】
以下、本発明を適用した画像形成装置として、電子写真プロセスによって画像を形成する電子写真複写機（以下、単に複写機という）の一実施形態について説明する。なお、本発明の実施形態は、以下述べるものに限定されず、その趣旨を逸脱しない範囲において種々変更が可能である。
【００１３】
図１は、実施形態に係る複写機を示す概略構成図である。同図において、複写機５００は、画像形成を行う複写機本体部１００を給紙装置としてのシートバンク３００の上に載置しており、複写機本体部１００の上部に画像読取装置２００が取り付けられている。また、画像読取装置２００の上には、背面側を支点に上下に開閉自在の自動原稿搬送装置４００が取り付けられている。複写機本体部１００の内部には、潜像担持体としてのドラム状の感光体１０が設けられている。
【００１４】
図２は、実施形態に係る複写機における、複写機本体部１００の感光体１０やその近傍部である画像形成部を示す拡大構成図である。同図において、図中矢印Ａ方向に回転駆動される感光体１０の周囲には、感光体１０に当接する帯電ローラ８、現像装置１２、及び転写装置１３が配置されている。なお、複写機５００は、感光体１０をクリーニングするクリーニング装置を備えていない。
【００１５】
現像装置１２は、現像ローラ４の周面上に担持したトナーにより、感光体１０上の静電潜像を現像してトナー像を得る。
【００１６】
転写装置１３は、上下に配置された第１張架ローラ１５と第２張架ローラ１６とによって張架している無端状の転写ベルト１７を、感光体１０の周面に当接させて転写ニップを形成している。この転写ニップの裏側では、無端状の転写ベルト１７のループ内側に配設された転写ローラ７が感光体１０に向けて押圧されている。
【００１７】
帯電ローラ８の図中の左側には、少なくとも現像位置において感光体１０の表面を被覆するフィルム部材としてのラップフィルムＦを感光体１０の表面に供給するフィルム供給装置２０が配置されている。ロール状に巻かれたラップフィルムＦは、フィルム供給装置２０によりロールから送り出されて、帯電ローラ８と感光体１０との間の帯電ニップ内に挟み込まれる。
【００１８】
また、複写機本体部１００の内部には、シートバンク３００内の、後述するシートカセット６１から送り出した記録部材としての記録シートＳを、レジストローラ対２１、転写ニップ、定着装置２２、排紙ローラ３５を順次経由する経路で搬送するシート搬送装置Ｃが配設されている。このシート搬送装置Ｃは、供給路Ｒ１、手差し供給路Ｒ２、および、シート搬送路Ｒを形成している。
【００１９】
シート搬送路Ｒにおける、感光体１０に対して記録シートＳの搬送方向上流側の位置には、レジストローラ対２１が配設されている。また、感光体１０の搬送方向下流側の位置には、定着装置２２が配設されている。この定着装置２２は、加熱部材としての加熱ローラ３０と加圧部材としての加圧ローラ３２とを具備している。
【００２０】
定着装置２２よりもシート搬送方向下流側の位置には、記録シートＳを機外に排出する排出ローラ３５が配設され、さらにその先に、画像形成済みのシートをスタックする排出スタック部３９が設けられている。
【００２１】
現像装置１２の図中左側には、レーザ書込装置４７が配設されている。レーザ書込装置４７は、不図示のレーザ光源、その他、走査用の回転多面鏡４８、ポリゴンモータ４９、ｆθレンズ等の走査光学系５０などを具備している。
【００２２】
画像読取装置２００には、光源５３、複数のミラー５４、結像用光学レンズ５５、ＣＣＤ等のイメージセンサ５６などが設けられている。また、その上面にはコンタクトガラス５７が設けられている。
【００２３】
このコンタクトガラス５７の上の自動原稿搬送装置４００には、原稿の載置位置に不図示の原稿セット台とが設けられているとともに、排出位置には不図示の原稿スタック台が設けられている。また、原稿シートを、原稿セット台から画像読取装置２００のコンタクトガラス５７上の読取位置を経て原稿スタック台まで搬送する不図示の原稿搬送路を有するシート搬送装置が設けられている。このシート搬送装置は、原稿シートを搬送する不図示のシート搬送ローラを複数備えている。
【００２４】
シートバンク３００の内部には、記録媒体である転写紙やＯＨＰフィルム等の記録シートＳを収納するシートカセット６１が多段に設けられている。また、各シートカセット６１には、それぞれ対応して呼出ローラ６２と、供給ローラ６３と、分離ローラ６４とが設けられている。シートカセット６１の図中右側には、複写機本体部１００のシート搬送路Ｒへと通じる供給路Ｒ１が形成されている。供給路Ｒ１にも、回転することにより記録シートＳに搬送力を付与し、記録シートＳを搬送する複数のシート搬送ローラ６６が設けられている。
【００２５】
複写機本体部１００の図中右側面には、手差し給紙部６８が配設されている。この手差し給紙部６８は、開閉自在な手差しトレイ６７と、その上にセットされた手差しの記録シートＳをシート搬送路Ｒへと導く手差し供給路Ｒ２とを具備している。また、手差しトレイ６７は、呼出ローラ６２と供給ローラ６３と分離ローラ６４とを具備している。
【００２６】
このような構成の複写機５００を用いてコピーを行うときには、まず、不図示のメインスイッチをオンするとともに、自動原稿搬送装置４００の原稿セット台に原稿をセットする。ブック原稿のような場合には、自動原稿搬送装置４００を開いて画像読取装置２００のコンタクトガラス５７上に直接原稿をセットし、自動原稿搬送装置４００を閉じて原稿を押える。
【００２７】
そして、不図示のスタートスイッチを押すと、自動原稿搬送装置４００に原稿をセットしたときには、原稿をシート搬送ローラにより原稿搬送路を通して、コンタクトガラス５７上へと移動してから画像読取装置２００が駆動し、原稿内容を読み取って原稿スタック台上に排出する。一方、コンタクトガラス５７上に直接原稿をセットしたときには、直ちに画像読取装置２００が駆動して原稿内容を読み取る。
【００２８】
画像読取装置２００が駆動すると、画像読取装置２００は、光源５３をコンタクトガラス５７に沿って移動させるとともに、光源５３からの光をコンタクトガラス５７上の原稿面で反射し、その反射光を複数のミラー５４で反射し、結像用光学レンズ５５を経て、イメージセンサ５６に入れ、そのイメージセンサ５６で原稿内容を読み取る。
【００２９】
また、このとき同時に、静電潜像形成工程として不図示の感光体駆動モータで感光体１０を回転し、帯電ローラ８により、感光体１０の表面をフィルム供給装置２０から供給されたラップフィルムＦを介して一様に帯電する。次いで、画像読取装置２００によって読み取った原稿内容に応じてレーザ光をレーザ書込装置４７から照射して書き込み工程を実行する。次に、現像装置１２を用いて感光体１０表面上を被覆するラップフィルムＦ上にラップフィルムＦの下の感光体１０上に形成された潜像に応じてトナーを付着し、静電潜像の可視像化（現像）がなされる。
【００３０】
一方、スタートスイッチを押したと同時に、シートバンク３００中の多段のシートカセット６１のうち、選択されたサイズの記録シートＳを収容するシートカセット６１内から呼出ローラ６２により記録シートＳが送り出される。呼出ローラ６２によって送り出された記録シートＳは、呼出ローラ６２に続く、供給ローラ６３と分離ローラ６４とによって１枚ずつ分離して搬送され、供給路Ｒ１に送られる。供給路Ｒ１に送られた記録シートＳは、シート搬送ローラ６６で搬送されてシート搬送路Ｒへと導かれ、レジストローラ対２１に突き当てて止められる。レジストローラ対２１は、記録シートＳを感光体１０表面のラップフィルムＦ上で現像されたトナー像に同期させるタイミングで転写ニップに向けて送り出す。
【００３１】
また、手差しトレイ６７上にセットされた手差しの記録シートＳに画像を形成する場合は、手差し給紙部６８の手差しトレイ６７上にセットされた手差しの記録シートＳが手差し供給路Ｒ２に送られる。そして、上述したシートカセット６１内の記録シートＳに画像形成を行う場合と同様に、レジストローラ対２１で感光体１０の回転にタイミングが合わせられて手差しの記録シートＳが感光体１０の右側へと送り込まれる。
【００３２】
感光体１０の右側へと送り込まれた記録シートＳは、転写装置１３に受け渡されて、上述した転写ニップで感光体１０表面に密着したラップフィルムＦ上のトナー像に重ね合わされた後、ラップフィルムＦとともに感光体１０から引き剥がされる。なお、ラップフィルムＦは透明である。また、本複写機では、ラップフィルムＦを記録シートＳに重ねた状態で感光体１０から引き剥がす。
【００３３】
この引き剥がしに先行して、感光体１０に密着しているラップフィルムＦ上では、感光体１０表面の静電潜像の現像によるトナー像が形成される。そして、転写バイアスが印加される転写ローラ７に裏打ちされる転写ニップ内において、ラップフィルムＦ上のトナー像がフィルムから記録シートＳに転写される。
【００３４】
転写ニップを通過したラップフィルムＦは、後述する定着ローラ３０によって引っ張られることで感光体１０から剥離されるが、記録シートＳは剥離後にも引き続きラップフィルムＦの表面に密着している。そして、ラップフィルムＦとともに定着装置２２に導入され、加熱ローラ３０と加圧ローラ３２とによって形成される定着ニップに通される。定着ニップ内では、トナー像が熱と圧力との作用によって記録シートＳの記録面に定着せしめられる。
【００３５】
定着ニップを通過したラップフィルムＦは、加熱ローラ３０に巻き付いた状態で進む。このとき、記録シートＳが腰の強さによってラップフィルムＦから分離して、排紙ローラ３５と第１加圧ローラとの当接による排紙ニップに送られる。その後、腰付けローラと第２加圧ローラとの当接による腰付けニップで腰の強さを高められた後、排出スタック部３９上にスタックされる。一方、ラップフィルムＦは、加熱ローラ３０から離間した後、回転駆動する巻き取り部材１９に巻き取られる。
【００３６】
先に示した図２において、ロールから送り出された後、帯電ローラ８に掛け回される前のラップフィルムＦの展張箇所には、塗布ローラ１４が当接している。塗布手段としての塗布ローラ１４は、ラップフィルムＦにおける記録シート密着面に離型促進剤を塗布するものである。離型促進材剤としては、加熱によって溶融して離型性を発揮するものを用いている。図１の定着ニップにおいては、予めラップフィルムＦに塗布されていた離型促進剤が熱によって溶融して、ラップフィルムＦと記録シートＳとの離型性を高める。これにより、トナー像を定着させた記録紙ＳをラップフィルムＦから容易に分離することができる。なお、本実施形態においては、ラップフィルムＦとして、加熱によって記録シートＳとの離型性を高める表面層を具備するものを用いており、定着ニップで表面層が加熱に伴って離型性を高めることによっても、記録シートＳの分離性を向上させている。塗布ローラ１４、前述の表面層のうち、何れか一方だけを採用してもよい。
【００３７】
塗布ローラ１４によって記録シートＳに塗布する離型促進剤としては、カルナバワックス、ライスワックス、パラフィンワックス、ポリエチレンワックス、ポリプロピレンワックス、フィッシャー・トロプシュワックス等を例示することができる。それらの剤の融点は、１１０［℃］未満であることがましい。離型促進剤の融点が１１０［℃］℃を超えると、定着時での離型剤の効果が発揮しずらくなるからである。
【００３８】
また、加熱に伴って離型性を高める表面層としては、紫外線硬化型シリコーン樹脂、硬化型シリコーン樹脂等からなるものを例示することができる。
【００３９】
ラップフィルムＦとしては、食品用ラップフィルムとして一般に使用されている食材や料理を包む為の厚さが十数［μｍ］程度の透明・軽量で柔軟な膜状素材のフィルムを使用することが出来る。これらのフィルムは耐熱性・耐水性に富み、摂氏マイナス６０［℃］からプラス１５０［℃］前後までの温度に適応できるとされている。ラップフィルム材料としては、セロハン、ポリエチレンテレフタレート（ＰＥＴ）、延伸ポリプロピレン（ＯＰＰ）、ナイロン（ＮＹ）、ポリエチレン（ＰＥ）、ポリプロピレン（ＰＰ）、ポリ塩化ビニリデン（ＰＶＤＣ）、ポリビニルアルコール（ＰＶＡ）、ポリ塩化ビニル（ＰＶＣ）、ポリメチルペンテン（ＰＭＰ）が上げられる。さらに複合材からなるラップフィルムのポリエチレン＋ポリプロピレン（ＰＥ＋ＰＰ）、ナイロン＋ポリエチレン（ＮＹ＋ＰＥ）なども使用することが可能である。
【００４０】
ラップフィルムＦには、光を透過すること、静電気を保持出来ることなどの特性が求められる。また、ある程度の応力に耐えることができ、引っ張られてもフィルム状態を維持できること、ある程度は熱に熔けずにフィルム状態を維持できること、ある程度は水に溶けずにフィルム状態を維持できること、といった特性も求められる。これらの特性を備えているものであれば、本複写機に使用するラップフィルムＦとしては、先に述べた食品用ラップフィルムの例に限らないことは言うまでもない。
【００４１】
次に、ラップフィルムＦの供給動作について、図２及び図３を用いて説明する。図３は、本複写機の画像形成部とフィルム供給装置２０とを示す拡大構成図である。
【００４２】
フィルム供給装置２０から繰り出されたラップフィルムＦは、帯電ローラ８の表面を経て感光体１０表面に供給される。帯電ローラ８と感光体１０とが対向する位置がラップフィルム供給位置となる。ラップフィルムＦは、帯電ローラ８による押圧力と、感光体帯電のために印加されるバイアス電荷とにより、感光体１０に張り付いてそのまま下流へと搬送される。このとき感光体１０の表面が一様帯電される。感光体１０の回転に伴い、フィルム供給装置２０に巻き付いているラップフィルムＦが順次送り出される。次いでレーザ書込装置４７から発せられた書き込み光Ｌにより、一様帯電後の感光体１０上に光像が書き込まれて静電潜像が形成される。この静電潜像は現像装置１２により現像されて感光体１０の表面を覆っているラップフィルムＦの上にトナー像がもたらされる。ラップフィルムＦ上のトナー像は記録シートＳと重ね合わされた後、ラップフィルムＦと記録シートＳに挟まれた状態のまま定着装置２２に搬送されて定着される。
【００４３】
図４は、このようにして得られた表面にラップフィルムＦを有する記録シートＳの断面形状を示すものである。トナー像はラップフィルムＦ側に形成され、ラップフィルムＦの表面にトナー像Ｔが密着している。
【００４４】
複写機５００は、感光体と現像装置とをそれぞれ一つずつ備えるモノクロの画像形成装置であるが、一つの感光体に４つの現像装置を配置したフルカラーの画像形成装置であってもよい。
【００４５】
次に、感光体１０の表面に形成された静電潜像の現像を行う現像装置１２について説明する。
複写機５００が備える現像装置１２は磁性キャリアとトナーからなる二成分現像装置である。複写機５００は現像装置１２で使用するトナーを収容する不図示のトナーボトルを備え、トナーボトル内のトナーは不図示のトナー補給装置によって現像装置１２に供給される。トナー補給装置によって不図示のトナー補給口から供給されたトナーは、現像装置１２のケーシングである現像容器１２ａ内の磁性キャリアとトナーとからなる現像剤の上に供給される。供給されたトナーは、現像剤とともに螺旋形状の第二搬送スクリュウ２で攪拌されながら図２中の紙面奥方向に搬送される。第二搬送スクリュウ２を備える搬送路と第一搬送スクリュウ１を備える搬送路とは、図２中の紙面奥方向端部と紙面手前方向端部とで連通している。そして、第二搬送スクリュウ２によって図２中の紙面奥方向端部まで到達した現像剤は、第一搬送スクリュウ１が配置された搬送路に移動し、第一搬送スクリュウ１によって図２中の紙面奥方向から手前方向への搬送される。そして、第一搬送スクリュウ１によって図１中の紙面手前方向端部まで到達した現像剤は、第二搬送スクリュウ２が配置された搬送路に移動する。このように、現像装置１２内では現像剤が循環している。
【００４６】
供給されたトナーが攪拌された現像剤は、第一搬送スクリュウ１によって搬送される搬送路内で、磁石が内蔵されている現像ローラ４の磁力によって、現像ローラ４の表面に汲み上げられる。図中矢印Ｄで示すように、図中時計回りに回転している現像ローラ４の表面に磁力で吸着した現像剤は、現像ドクタ７０で一定量に規制されるとともにトナーと磁性キャリアとが摩擦帯電される。
【００４７】
帯電した磁性キャリアとトナーとからなる現像剤は現像ローラ４の最大磁力強度の主極で穂立ちして感光体１０の表面を被覆するラップフィルムＦに接触する。現像ローラ４にはバイアス電圧が印加されており、感光体１０上の静電潜像により選択的にトナーが付着して現像される。なお、現像容器１２ａ内の現像剤のトナー濃度は、トナー濃度センサ５によって監視している。トナー濃度が低い場合は、不図示のトナー補給装置を駆動して、不図示のトナーボトルからトナーを補給して、トナー濃度を一定に保つように制御する。
【００４８】
また、感光体１０表面を覆うラップフィルムＦ上にはトナーで基準パターンが形成され、この基準パターンの反射濃度をパターン濃度センサ６が測定している。そしてこのパターン濃度センサ６の測定結果を基に、トナー濃度センサ５がどのような出力値の時にトナー補給動作を開始させれば良いかが自動的に選ばれるようになっている。
【００４９】
トナー濃度センサ５は、現像剤を搬送する第二搬送スクリュウ２の下に設置されており、現像剤の透磁率から現像剤のトナー濃度を測定している。トナー濃度が低くなると磁性体キャリアが密集してくるので透磁率が高くなる。このトナー濃度センサ５が検知した透磁率の値がある所定値（閾値）を超えれば、トナー濃度が低くなったと判断されて、所定のトナー濃度になるまで不図示の制御部からトナー補給装置へトナー補給動作のための信号が送られる。
【００５０】
このような補給制御によって、ラップフィルムＦを介して感光体１０上に形成される基準パターンの濃度を一定に保つように制御しているが、トナーボトル内のトナーがなくなった場合には、不図示の判断機構を用いて基準パターンの濃度を検知するパターン濃度センサ６とトナー濃度センサ５との両方の出力から、トナーがなくなったことを判断する。
【００５１】
供給用のトナーは例えばトナーボトルに収容されている。トナーは、ポリエステル樹脂を含有するトナーを好適に使用する事が出来るが、これに限定されるものではない。
【００５２】
ポリエステル樹脂を含有するトナーのポリエステルは、多価アルコールと多価酸（大多数がジオール基を有する化合物と二酸（−（ＣＯＯＨ）２）またはジエステル（−（ＣＯＯＲ）２）を有する２酸化合物またはジエステル化合物）とを脱水（あるいは脱アルコール）縮合反応によってポリエステル化合物（未変性ポリエステル）とした未変性ポリエステル樹脂を用いる。また、ジイソシアネート（−ＮＣＯ基を２個有する化合物）と活性水素化合物（特にジオール、ジオイックアシドまたはＯＨ基とＣＯＯＨ基の両方の基を有する化合物）との縮合反応によって得られる多価イソシアネート化合物とをさらに含む変性ポリエステル樹脂を含んでいてもよい。
【００５３】
多価イソシアネート化合物の比率は、イソシアネート基［ＮＣＯ］と、水酸基を有するポリエステルの水酸基［ＯＨ］の当量比［ＮＣＯ］／［ＯＨ］として、通常５／１〜１／１、好ましくは４／１〜１．２／１、さらに好ましくは２．５／１〜１．５／１である。
【００５４】
未変性ポリエステルとウレア変性ポリエステルとを併用することで、低温定着性およびフルカラー画像形成装置に用いた場合の光沢性が向上するので、ウレア変性ポリエステルを単独で使用するよりも好ましい。なお、未変性ポリエステルは、ウレア結合以外の化学結合で変性されたポリエステルを含んでも良い。
【００５５】
未変性ポリエステルとウレア変性ポリエステルとは、少なくとも一部が相溶していることが低温定着性、耐ホットオフセット性の面で好ましい。従って、未変性ポリエステルとウレア変性ポリエステルとは類似の組成であることが好ましい。
また、未変性ポリエステルとウレア変性ポリエステルとの重量比は、通常２０／８０〜９５／５程度である。
プレポリマーとして用いるウレア変性ポリエステル中には、ウレア結合と共にウレタン結合を含有していてもよい。ウレア結合含有量とウレタン結合含有量のモル比は、通常１００／０〜１０／９０である。
【００５６】
次に、感光体の表面を潜像担持体ラップフィルムで被覆した状態で現像ができることを確認した実験について説明する。
〔実験１〕
実験１では、画像形成装置として、ｉｍａｇｉｏ  ＭＰ  ５０００（リコー製）を用いて以下に述べる実験を行った。
潜像担持体ラップフィルムとして厚さ１０［μｍ］のＰＶＤＣフィルム、商品名：クレラップ（登録商標）を用意した。予め感光体ドラムにこのフィルムを巻きつけておく。そして画像形成装置に装着して画像形成させた。用紙の供給は行わないで感光体ドラムの１周分にトナー像が形成されるタイミングを見計らって、画像形成装置を停止させた。感光体ドラムを取り外し、観察したところ、画像が形成されていることを認めた。感光体ドラム表面からフィルムを引き剥がしてトナー面を用紙に合わせて貼り付けたところ、鮮明な画像であることが確認できた。
【００５７】
〔実験２〕
実験２として、画像形成装置として、ｉｍａｇｉｏ  ＭＰ  ５０００（リコー製）を用いて以下に述べる実験を行った。
予め帯電した感光体ドラムを暗所で取り出し、上述したＰＶＤＣ製のフィルムを感光体ドラムに巻きつけた。画像形成装置に装着して帯電装置は機能させないで画像形成させた。用紙の供給は行わないで感光体ドラムの１周分にトナー像が形成されるタイミングを見計らって、画像形成装置を停止する。感光体ドラムを取り外し、観察したところ、画像が形成されていることを認めた。表面からラップフィルムを引き剥がしてトナー面を用紙に合わせて貼り付けたところ、鮮明な画像であることが確認できた。
【００５８】
〔実験３〕
実験３として、画像形成装置として、ｉｍａｇｉｏ  ＭＰ  ５０００（リコー製）を用いて以下に述べる実験を行った。
図２に示す複写機５００と同様に、ＰＶＤＣ製のフィルムが巻き取られているフィルム供給装置を装着し、フィルムを感光体ドラムの周囲に回して定着装置まで配置して、通常のコピー動作を実行した。この実験３では、排出スタック部上には画像が定着されたフィルムで覆われた転写紙がスタックされたことを確認できた。
【００５９】
〔実験４〕
実験４として、画像形成装置として、ｉｍａｇｉｏ  ＭＰ  ５０００（リコー製）を用いて以下に述べる実験を行った。
潜像担持体ラップフィルムとして厚さ７．５［μｍ］のポリメチルペンテン（ＰＭＰ）フィルム、商品名：コープラップ（登録商標）を用意した。実験１及び実験２と同様の実験を行ったところいずれもフィルム表面上に画像形成できることが確認できた。
【００６０】
〔実験５〕
実験５として、画像形成装置として、ｉｍａｇｉｏ  ＭＰ  ５０００（リコー製）を用いて以下に述べる実験を行った。
潜像担持体ラップフィルムの代わりとして、厚さ２０［μｍ］で半透明の第二原図用紙を用意し実験２と同様の実験を行った。予め帯電した感光体ドラムに第二原図用紙を巻きつけておく。そして画像形成装置に装着し帯電装置は機能させて画像形成させた。用紙の供給は行わないで感光体ドラムの１周分にトナー像が形成されるタイミングを見計らって、画像形成装置を停止させた。感光体ドラムを取り外し、観察したところ、画像が形成されていることを認めた。表面から第二原図用紙を引き剥がしてトナー面を他の用紙に合わせて貼り付けたところ、若干不鮮明ではあるが画像の文字の認識に問題はなかった。
【００６１】
なお、本発明を適用した画像形成装置に使用できるフィルム部材としては、光が透過すること、潜像担持体上の静電電荷に感応して静電潜像をその表面に保持出来ること、ある程度の応力に耐えることが出来て、引っ張られてもフィルム状態を維持できること、ある程度は熱に熔けずにフィルム状態を維持できること、ある程度は水に溶けずにフィルム状態を維持できることが出来れば、上に挙げた食品用ラップフィルムの例に限らない事は言うまでもない。また、上述した半透明の第二原図用紙はこの条件の光が透過すること、潜像担持体上の静電電荷に感応することが出来たため、画像形成が可能になったものと言える。
【００６２】
図５に示すように、フィルム供給装置２０の巻き付け部材に巻き付いているラップフィルムＦが無くなった場合には、ラップフィルムＦに当接している帯電ローラ８、現像装置１２、転写装置１３、加熱ローラ３０をそれぞれフィルムから遠ざける方向に移動させる。これにより、図６に示すように、ラップフィルムＦにおける、巻き付き部材と巻き取り部材１９との間の展張箇所のテンションを大きく緩めることで。ラップフィルムＦをフィルムカートリッジ１８とともに取り外すことが可能になる。この状態でフィルムカートリッジを複写機本体から取り外した後、図７に示すように、新たなフィルムカートリッジ１８’を複写機本体に取り付ける。そして、図８に示すように、巻き付き部材と巻き取り部材１９との間のフィルム箇所を感光体１０や加熱ローラ３０に掛け回す。最後に、図９に示すように、帯電ローラ８、現像装置１２、転写装置１３、加熱ローラ３０をそれぞれラップフィルムＦに当接させて、巻き付き部材から巻き取り部材１９に至るまでのフィルム箇所をテンション張架する。
【００６３】
ラップの再使用について異なる方法を説明する。ラップフィルム供給ローラ２０のラップを使いきった時には、ラップに当接している、加熱ローラ３０、加圧ローラ３２、転写ベルト１７、像担持体１０、帯電ローラ１１、ラップ供給ローラ２０を逆回転させることにより、ラップフィルム回収ローラ１９にあるラップをラップフィルム供給ローラ２０に戻す。これにより、ラップフィルム供給ローラ２０にラップフィルムを蓄える事ができ、再び使用することができる。
【００６４】
フィルムとシートＳとの分離方法について、異なる方法を説明する。図１０は分離の方法の説明図である。定着された後に一体となっているラップフィルムと重ね合わされたシートＳは、ラップフィルム回収ローラ１９による引張力により、ラップフィルムのみを分離板３３に巻回させ、曲率分離を利用し強制的にシートSからラップフィルムを分離させている。ラップフィルムは、非常に薄くできている為、分離板３３の先端に丸みをもたせることによって、ラップフィルムの傷や裂け等を防止することができる。
【００６５】
以上、実施形態に係る複写機においては、感光体１０表面に密着させたラップフィルムＦ上でトナー像の現像や転写を実施することで、感光体１０の無垢の表面に転写残トナーを付着させることがなくなるので、クリーニング部材、極性制御部材、及びトナー散らし部材を何れも不要にして、それら部材との摺擦による感光体の劣化を解消することができる。
【００６６】
また、実施形態に係る複写機においては、転写装置１３を通過した後の記録シートＳをラップフィルムＦから引き剥がさずに、ラップフィルムＦに密着させたままの状態で定着装置２２に搬送する搬送手段を設けている。この送込手段は、転写装置１３、加熱ローラ３０、巻き取り部材１９などから構成される。かかる構成では、転写装置１３を通過した後の記録シートＳをラップフィルムＦに密着させたままの状態で定着装置２２に搬送することで、転写チリのない状態でトナー像を記録シートＳに定着させる。よって、転写チリの発生を解消することができる。
【００６７】
また、実施形態に係る複写機においては、定着手段たる定着装置２２として、記録シートＳを加熱しながらトナー像を記録シートＳに定着せしめるものを用いるとともに、ラップフィルムＦとして、加熱によって記録シートＳとの離型性を高める表面層を具備するものを用いている。かかる構成では、定着装置２２での加熱によってラップフィルムＦの表面層の離型性を高めることで、トナー像の定着処理を施した後の記録シートＳをラップフィルムＦから容易に分離することができる。
【００６８】
また、実施形態に係る複写機においては、現像位置に進入する前のラップフィルムＦの表面に離型促進剤を塗布する塗布手段たる塗布ローラ１４を設けている。かかる構成では、離型促進剤によってラップフィルムＦの離型性を高めることで、トナー像の定着処理を施した後の記録シートＳをラップフィルムＦから容易に分離することができる。
【００６９】
また、実施形態に係る複写機においては、分離手段として、ラップフィルムＦを巻き掛け部材たる加熱ローラ３０に巻き掛けてラップフィルムＦの進行方向を急激に変化させることで、ラップフィルムＦに密着している記録シートＳをラップフィルムＦから曲率分離するものを用いている。かかる構成では、記録シートＳをラップフィルムＦから引き剥がす引き剥がし手段を用いることなく、記録シートＳをラップフィルムＦから分離することができる。
【００７０】
また、実施形態に係る複写機においては、フィルム供給装置２０内で巻き付け部材に巻き付いているフィルム部材を巻き付け部材から引き出す引き出し手段たる帯電ローラ８と、巻き付け部材から引き出されて転写装置１３と定着装置２２と加熱ローラ３０とを順次経由した後のラップフィルムＦを巻き取り部材１９に巻き取る巻き取り手段とを設けている。かかる構成では、使用後のラップフィルムＦを巻き取り部材１９に巻き取って回収することができる。
【００７１】
また、実施形態に係る複写機においては、巻き付け部材（フィルム供給装置２０内）及び巻き取り部材１９を共通のフィルムカートリッジ１８に収容して複写機本体に対して一体的に着脱可能に構成している。かかる構成では、フィルムカートリッジを複写機本体に着脱することで、ラップフィルムＦを交換することができる。
【００７２】
また、実施形態に係る複写機においては、ラップフィルムＦにおける、巻き付け部材と巻き取り部材１９との間の展張箇所のテンションを大きく緩めるテンション調整手段を設けている。かかる構成では、テンションの緩みにより、ラップフィルムＦを複写機本体から容易に引き出すことが可能になる。
【００７３】
また、第１変形例に係る複写機においては、フィルムカートリッジ１８の取り付け姿勢を１８０［°］反転させて、巻き付け部材と巻き取り部材１９との位置を逆転させることが可能になるように、フィルムカートリッジ１８の形状及び複写機本体のカートリッジ取付部を構成している。かかる構成では、フィルムカートリッジ１８の姿勢を１８０［°］反転させることで、ラップフィルムＦを再利用することができる。
【００７４】
また、第２変形例に係る複写機においては、巻き取り部材に巻き取られたラップフィルムＦを巻き取り部材１９から引き出しながら巻き付け部材に巻き付け直す巻き直し手段を設けている。かかる構成では、使用済みのラップフィルムＦを巻き付け部材にまき直すことで、ラップフィルムＦを再利用することができる。
【００７５】
なお、ラップフィルムＦとして、エンドレスフィルム状のものを用い、これを無端移動させることで、ラップフィルムＦをセットし直すことなく、自然に再利用するようにしてもよい。
【符号の説明】
【００７６】
８：帯電ローラ（フィルム密着手段）
１０：感光体（潜像担持体）
１２：現像装置（現像手段）
１３：転写装置（転写手段、フィルム密着手段）
１４：塗布ローラ（塗布手段）
１８：フィルムカートリッジ
１９：巻き取り部材
２２：定着装置（定着手段）
Ｆ：ラップフィルム（フィルム部材）
Ｓ：記録シート（記録部材）
【先行技術文献】
【特許文献】
【００７７】
【特許文献１】特開２００８−０３２８５１号公報
【図１】
2010286538.tif 000003
【図２】
2010286538.tif 000004
【図３】
2010286538.tif 000005
【図４】
2010286538.tif 000006
【図５】
2010286538.tif 000007
【図６】
2010286538.tif 000008
【図７】
2010286538.tif 000009
【図８】
2010286538.tif 000010
【図９】
2010286538.tif 000011
【図１０】
2010286538.tif 000012